(57)【要約】【課題】無線周波信号を送受する少なくとも一対向の機器により、相互が、所定距離内に接近している累積時間を簡易に測定することにより、所定期間にわたり機器を携行する人相互の親密度のバロメータを表示する電子玩具を提供する。【解決手段】所定の時間間隔で繰り返し生成される固有の２値データを、無線周波信号で変調して外部に送信する第１通信手段を備えた、少なくとも一つの第１機器と、外部から受信した信号を無線周波信号で復調して２値データを出力する第２通信手段、第２通信手段から出力される２値データをカウントして第１機器との接近時間を計測する計測手段、計測手段で計測した接近時間を第１機器を携行する人との親密度のバロメータとして表示する表示手段を備えた第２機器と、を有する。【選択図】図２
0003146524.tif 000002
【実用新案登録請求の範囲】
【請求項１】
所定の時間間隔で繰り返し生成される固有の２値データを、無線周波信号で変調して外部に送信する第１通信手段を備えた、少なくとも一つの第１機器と、
外部から受信した信号を無線周波信号で復調して２値データを出力する第２通信手段、前記第２通信手段から出力される２値データをカウントして前記第１機器との接近時間を計測する計測手段、及び前記計測手段で計測した前記接近時間を、前記第１機器を携行する人との親密度のバロメータとして表示する表示手段を備えた第２機器と、を有することを特徴とする電子玩具。
【請求項２】
前記第２通信手段は、前記計測手段により計測された前記接近時間を表す２値データを、所定時間毎に無線周波信号で変調して外部に送信し、前記第１通信手段は、外部から受信した信号を無線周波信号で復調して前記接近時間を表す２値データを出力するものであって、
前記第１機器は、前記第１通信手段から出力される前記２値データに基づいて、前記第２機器を携行する人との親密度のバロメータとして前記接近時間を表示する表示手段を備えたことを特徴とする請求項１記載の電子玩具。
【請求項３】
前記第１通信手段で生成される前記２値データが異なる複数の第１機器を備え、
前記第２機器は、所定の設定子の操作を受け、前記表示手段に表示される前記接近時間の表示を切替える切替手段と、
前記第２通信手段から出力される２値データの送信元を判別し、送信元を判別した２値データを前記計測手段に送る送信元判別手段とを有することを特徴とする請求項１又は２記載の電子玩具。
【請求項４】
前記第１機器及び前記第２機器それぞれは、
識別番号と２値データとが記録された対応表と、
所定の選択子の操作を受け、前記対応表に記録された識別番号の中から所定の識別番号を選別する選別手段と、
前記対応表をスキャンすることにより前記選別手段により選別された前記識別番号に対応する２値データを繰り返し生成する２値データ生成手段と、を備えたことを特徴とする請求項３記載の電子玩具。
【請求項５】
前記第１機器及び前記第２機器それぞれは、前記表示手段により表示される前記接近時間に応じて、音又は光を発する報知手段を備えたことを特徴とする請求項３記載の電子玩具。
【考案の詳細な説明】
【技術分野】
【０００１】
本考案は、機器を携行する人相互の親密度のバロメータを表示する電子玩具に関するものである。
【背景技術】
【０００２】
従来、物と物、あるいは人と物などとの衝突を回避するため、電磁波を用いて相互の距離を監視することや、衝突するまでの時間を予測する方法などが提案されている。
【０００３】
例えば、草刈機を用いた除草作業において、草刈機相互が衝突しないように電磁波を送受して接近を検知し、音又は光により警報を発する近接感知装置が提案されている（特許文献１参照）。
また、高圧配電線の活線工事において、配電線に複数取り付けた超音波発信装置と、作業者に取り付ける超音波受信装置と、データ送受・距離算出・警報発生を行う親局装置と、により作業者と配電線との正確な離隔距離を測定し、活線作業の安全を図るシステムが提案されている（特許文献２参照）。
さらに、路上装置と車載装置とを無線で結び、車載装置から発信する電波を路上装置で受信することにより、バスなどの車両の接近情報を路上装置から告知する方法が提案されている（特許文献３参照）。
他方、物と物、あるいは人と物との距離を、電磁波の送受により監視し、盗難や紛失を防止したり、徘徊老人等が行方不明となるのを防止したりする方法が提案されている。
例えば、親機を身につけ、子機を物品に取り付け、親機と子機とを無線で通信し、一定距離以上離れたときの受信レベルに応じて、所定時間後にアラーム等で告知する方法が提案されている（特許文献４参照）。
【０００４】
一方、今日においては、女性の社会進出や夫婦共働き、子供の塾通い等が恒常化してきており、親子、夫婦などの家族、若いカップル、友達などが共に過ごす時間が少なくなる傾向にある。
このため、家族や恋人同士が絆を深めるためのツールとして、同じ空間などに居合わせた時間を、例えば一週間、一カ月間、三カ月間と、一定期間にわたり累積した接近時間を測定し、その接近時間を親密度のバロメータとすることが考えられる。
しかしながら、上記に提案されている何れの方法も、所定の距離に接近した瞬間、あるいは所定の距離以上に離間した瞬間をとらえるものであり、所定距離内に接近している累積時間、あるいは所定距離外に離れている累積時間を測定するものではない。
【特許文献１】特開２００７−５８７６５号公報
【特許文献２】特開２００８−３３８５７号公報
【特許文献３】特開平０８−３１５２９４号公報
【特許文献４】特開２００８−２７２６３４号公報
【考案の開示】
【考案が解決しようとする課題】
【０００５】
本考案は、上記事情に鑑み、無線周波信号を送受する少なくとも一対向の機器により、相互が、所定距離内に接近している累積時間を簡易に測定することにより、所定期間にわたり機器を携行する人相互の親密度のバロメータを表示する電子玩具を提供することを目的とする。
【課題を解決するための手段】
【０００６】
本考案の電子玩具は、所定の時間間隔で繰り返し生成される固有の２値データを、無線周波信号で変調して外部に送信する第１通信手段を備えた、少なくとも一つの第１機器と、外部から受信した信号を無線周波信号で復調して２値データを出力する第２通信手段、上記第２通信手段から出力される２値データをカウントして上記第１機器との接近時間を計測する計測手段、及び上記計測手段で計測した上記接近時間を、上記第１機器を携行する人との親密度のバロメータとして表示する表示手段を備えた第２機器と、を有することを特徴とする。
このように無線周波信号を送受する通信手段を備える１対向の機器で、所定の時間間隔で繰り返し同じ信号を送り、一定レベルを超える受信信号の個数をカウントすれば、一定距離内に接近している接近時間を測定することができるので、その一対向の機器を二人で携行すれば、その接近時間を相互の親密度のバロメータとして表示することができる。
また、上記第２通信手段は、上記計測手段により計測された上記接近時間を表す２値データを、所定時間毎に無線周波信号で変調して外部に送信し、上記第１通信手段は、外部から受信した信号を無線周波信号で復調して上記接近時間を表す２値データを出力するものであって、上記第１機器は、上記第１通信手段から出力される上記２値データに基づいて、上記第２機器を携行する相手との親密度のバロメータとして上記接近時間を表示する表示手段を備えることにすれば、第１機器を携行する人も、第２機器を携行する人も、共に表示される親密度のバロメータを知ることができる。
さらに、上記第１通信手段で生成される上記２値データが異なる複数の第１機器を備え、上記第２機器は、所定の設定子の操作を受け、上記表示手段に表示される上記接近時間の表示を切替える切替手段と、上記第２通信手段から出力される２値データの送信元を判別し、送信元を判別した２値データを上記計測手段に送る送信元判別手段とを有することができる。
このように、複数の第１機器を備えれば、二人以上の人との親密度を知ることができる。
また、上記第１機器及び上記第２機器それぞれは、識別番号と２値データとが記録された対応表と、所定の選択子の操作を受け、上記対応表に記録された識別番号の中から所定の識別番号を選別する選別手段と、該対応表をスキャンすることにより上記選別手段により選別された上記識別番号に対応する２値データを繰り返し生成する２値データ生成手段と、を備えることにしてもよい。
このようにすれば、第２機器の台数を任意に増やすことができるので、電子玩具で親密度のバロメータを知ることができる人数に柔軟に対応できる。
さらに上記第１機器及び上記第２機器それぞれは、上記表示手段により表示される上記接近時間に応じて、音又は光を発する報知手段を備えることもできる。
このようにすれば、相互の絆を深める一助とすることができる。
【考案の効果】
【０００７】
本発明の電子玩具によれば、第１機器を携行する人と、第２機器を携行する人とが接近している累積時間が、少なくとも第２機器に表示されるので、親密度のバロメータがわかる。また第１機器を複数の人が携行すれば、それら複数の人との親密度のバロメータがわかる。
【考案を実施するための最良の形態】
【０００８】
［第１の実施形態］
図１は、第１の実施形態の電子玩具を構成する第１機器及び第２機器の外観を一例として示す図である。
図１に一例を示すように、本実施形態の電子玩具１は、二台の第１機器１０と、一台の第２機器２０とで構成されている。
二台の第１機器１０それぞれは、液晶表示画面（本考案の表示手段に相当する。以下同じ。）１１と、選択ボタン（本考案の選択子に相当する。以下同じ。）１２と、設定ボタン（本考案の設定子に相当する。以下同じ。）１３とを備え、筺体１４にはストラップ１５が取り付けられている。それぞれの液晶表示画面１１には、第２機器２０と所定の距離内に接近した時間を累積した接近時間（時間、分、秒）が表示されている。また、それぞれのストラップ１５は、携帯電話３０に繋がれている。
ここで、本実施形態の二台の第１機器１０それぞれの液晶表示画面１１、あるいは第２機器２０の液晶表示画面２１には、実際に表示されるべき接近時間とはは無関係な数値が表示されている。
第２機器２０は、液晶表示画面２１と、選択ボタン２２と、設定ボタン２３と、を備え、筺体２４には、ストラップ２５が取り付けられている。
第２機器２０の液晶表示画面２１には、一方の第１機器１０との接近時間（時間、分、秒）が表示されており、他方の第１機器と１０の接近時間を表示させるには、設定ボタン２３を１回押し、選択ボタン２２を三回（一回目はメニュー決定）押すことにより液晶表示画面２１が切り替わるようになっている。
ちなみに、本実施形態の第１機器１０及び第２機器２０の選択ボタン１２、２２は、１回押すと「液晶表示画面切替」、２回押すと「液晶表示リセット」、３回押すと「識別番号選別」それぞれのメニューが選別され、選別されたメニューに対して、設定ボタン１３、２３を１回押すとそのメニューが選択される。そして、「液晶表示画面切替」のメニューが選択されたとき、設定ボタン１３、２３を、さらに１回押すと、識別番号が最も若い第１機器との接近時間が表示され、２回押すと、識別番号が次に若い第１機器との接近時間が表示される。次に、「液晶表示リセット」のメニュー項目が選択されたとき、設定ボタン１３、２３をさらに１回押すと液晶表示がリセットされ、２回押すと識別番号がリセットされる。次に、「識別番号選別」のメニュー項目が選択されたとき、設定ボタン１３、２３をさらに１回押すと自分の識別番号（例えば、二台の第１機器の一方）が設定される。ただし、選択子や設定子は、必ずしもこの構成に限定されない。
ここで、本実施形態の電子玩具１は、二台の第１機器１０と、一台の第２機器２０とで構成されているが、第１機器１０は、二台である必要はなく、一台であっても、三台以上であってもよい。また、表示手段に液晶デイスプレイを用いているが、必ずしも液晶デイスプレイである必要はなく、例えばエレクトロルミネッセンスデイスプレイ、発光ダイオードデイスプレイであってもよい。
さらに、本実施形態の電子玩具の第１機器及び第２機器それぞれは、固有の物品として構成されているが、例えばキーホルダやアクセサリなどの一部として構成することもできる。
【０００９】
図２は、第１の実施形態の電子玩具を構成する第１機器及び第２機器それぞれの機能ブロックを示す図である。
図２に示すように、第１機器１０は、通信部（本考案の第１通信手段に相当する。以下同じ。）１６、表示部（本考案の表示手段に相当する。以下同じ。）１７、音声部（本考案の報知手段に相当する。以下同じ。）１８、制御部（本考案の対応表、２値データ生成手段、切替手段、選択手段に相当する。以下同じ。）１９を備えている。また、第２機器２０は、通信部（本考案の第２通信手段に相当する。第１通信手段と機能が共通するので、両者を含め、以下「通信部」という。）２６、表示部（本考案の表示手段に相当する。以下同じ。）２７、音声部（本考案の報知手段に相当する。以下同じ。）２８、制御部（本考案の対応表、送信元判別手段、２値データ生成手段、切替手段、選択手段に相当する。以下同じ。）２９、タイマ（本考案の計測手段に相当する、以下同じ。）５を備えている。
なお、第１機器１０及び第２機器２０は、何れも電池を電源として動作するように構成されているが、電源は、説明の都合上省略されている。
第１機器の制御部１９は、例えばＣＰＵ、ＲＡＭ、ＲＯＭ、Ｉ／Ｏを具備したマイコンにより構成され、ＲＯＭには、本考案の２値データ生成手段、切替手段、選択手段に相当する機能を実行するプログラム、識別番号と２値データとの対応表などが記録されている。そして、選択ボタン１２と設定ボタン１３とが操作されると、プログラムが起動して自己の識別番号を設定し、対応する２値データを所定の時間間隔で繰り返し出力する。
第１機器の通信部１６は、例えばアンテナ３、変復調器、増幅器などにより構成され、制御部１９から出力される２値データを無線周波信号で変調して所定レベルの電磁波を外部に送信する。また、第２機器２０で計測した第１機器１０との接近時間データを第２機器の通信部２６からの無線周波信号として受信し、その信号を復調して接近時間データを出力する。
第１機器の表示部１７は、例えば液晶表示画面１１、駆動部などにより構成され、通信部１６から出力される接近時間データを液晶表示画面１１に表示する。
第１機器の音声部１８は、例えばメロディやメッセージが記録された音声メモリ、再生部などにより構成され、表示部１７に送られる接近時間データが、例えば１００時間、１０００時間などの区切りの良い時間に到達したとき、音声メモリに記録されたメロディやメッセージを再生し、第１機器１０を携行している人に告知する。
【００１０】
第２機器の制御部２９は、例えばＣＰＵ、ＲＡＭ、ＲＯＭ、Ｉ／Ｏを具備したマイコンにより構成され、ＲＯＭには、本考案の送信元判別手段、切替手段、選択手段に相当する機能を実行するプログラム、識別番号と２値データとの対応表などが記録されている。電源が投入されると、プログラムが起動し、第１機器の通信部１６から送信される２値データの送信元を、対応表を参照して判別し、送信元を判別した２値データをタイマに送る。
第２機器の通信部２６は、例えばアンテナ３、変復調器、増幅器などにより構成され、第１機器の通信部１６から受信した信号を無線周波信号で復調して２値データを出力する。また、タイマ５で計測した二台の第１機器１０それぞれとの接近時間データを、例えば３０秒毎に無線周波信号で変調し、外部に送信する。
タイマ５は、例えばマイコン機能の一部により構成され、制御部２９から送られる２値データを送信元毎にカウントし、第１機器１０それぞれと接近する時間を累積した接近時間を計測する。
第２機器の表示部２７は、例えば液晶表示画面２１、駆動部などにより構成され、タイマ５で計測した接近時間を液晶画面２１に表示する。
なお、液晶表示画面２１には、一方の第１機器１０との接近時間が表示されており、他方の第１機器１０との接近時間を表示させるには、選択ボタン２２を一回押せば切り替わる。
第２機器の音声部２８は、例えばメロディやメッセージが記録された音声メモリ、再生部などにより構成され、表示部２７に送られる第１機器１０又は第２機器２０何れか一方の接近時間データが、例えば１００時間、１０００時間などの区切りの良い時間に到達したとき、音声メモリに記録されたメロディやメッセージを再生し、第２機器２０を携行している人に告知する。
第２機器２０を携行している人は、液晶表示画面２１の表示を切り替えるなどにより、二台の第１機器１０のうちの何れとの接近時間が区切りの良い時間に到達したかを確認することができる。
ここで、本実施形態の電子玩具１は、第１機器１０を二台備えているので、第１機器１０それぞれと第２機器２０との電波衝突を回避するため、第１機器１０それぞれに異なる拡散符号を割り付け、それぞれに割りつけられた拡散符号で変調することにより、外部に送信する無線周波信号のスペクトルを広げる方式が用いられる。すなわち、第１機器の通信部１６は、無線周波信号で変調した２値データを、拡散符号でさらに変調して外部に送信する。なお、第２機器の通信部２６は、受信した信号を、第１機器１０それぞれに割りつけられた拡散符号それぞれで復調し、それを、さらに無線周波信号で復調し、二台の第１機器１０のうち何れか一方、又は双方の２値データを得ている。ただし、電波衝突の回避方法は、必ずしも直接拡散方式に限定する必要はなく、周波数ホッピング方式などを用いてもよい。また、本実施形態のように第１機器１０の台数が二台と少ない場合には、制御部１９から繰り返し出力される２値データの時間間隔に比べて２値データの送信時間を短くすることにより、格別な電波衝突回避方法を用いなくても、親密度のバロメータを表示する機能にはほとんど支障がない。
また、本実施形態の電子玩具１は、報知手段として音声部１８、２８を備えているが、音声部に代えて、あるいは音声部に加えて、イルミネーションなど光により携行している人に告知する光告知部を備えることにしてもよい。さらに、第１機器の識別番号は、予め機器に固定しておくことにより、選択ボタン１２と設定ボタン１３との操作による設定作業を省くこともできる。
【００１１】
［第２の実施形態］
第２の実施形態の電子玩具２は、第１の実施形態の電子玩具１と較べて、第１機器の表示部及び音声部が取り外され、シンプルな構成となっている。しかしながら、第１の実施形態の電子玩具と同様に、二台の第１機器と一台の第２機器とにより構成されており、共通する、外観を示す図は省略する。
図３は、第２の実施形態の電子玩具を構成する第１機器及び第２機器それぞれの機能ブロックを示す図である。
図３に示すように、第２の実施形態の電子玩具２は、第１機器１０は、通信部１６と、制御部１９とを備えている。また、第２機器２０は、通信部２６と、表示部２７と、音声部２８と、制御部２９と、タイマ５とを備えている。
なお、第１機器１０及び第２機器２０は、何れも電池を電源として動作するように構成されているが、電源部は説明の都合上省略されている。
第１機器の制御部１９は、例えばＣＰＵ、ＲＡＭ、ＲＯＭ、Ｉ／Ｏを具備したマイコンにより構成され、ＲＯＭには、本考案の２値データ生成手段、切替手段、選択手段に相当する機能を実行するプログラム、識別番号と２値データとの対応表などが記録されている。そして、選択ボタン１２と設定ボタン１３とが操作されると、プログラムが起動して自己の識別番号を設定し、対応する２値データを所定の時間間隔で繰り返し出力する。
第１機器の通信部１６は、例えばアンテナ３、変調器、増幅器などにより構成され、制御部１９から出力される２値データを無線周波信号で変調して所定レベルの電磁波を外部に送信する。
第２機器の制御部２９は、例えばＣＰＵ、ＲＡＭ、ＲＯＭ、Ｉ／Ｏを具備したマイコンにより構成され、ＲＯＭには、本考案の送信元判別手段、切替手段、選択手段に相当する機能を実行するプログラム、識別番号と２値データとの対応表などが記録されている。電源が投入されると、プログラムが起動し、第１機器の通信部１６から送信される２値データの送信元を、対応表を参照して判別し、送信元を判別した２値データをタイマ５に送る。
第２機器の通信部２６は、アンテナ３、復調器、増幅器などにより構成され、第１機器の通信部１６から受信した信号を無線周波信号で復調して２値データを出力する。
タイマ５は、例えばマイコン機能の一部により構成され、制御部２９から送られる２値データを送信元毎にカウントし、第１機器１０それぞれと接近する時間を累積した接近時間を計測する。
第２機器の表示部２７は、例えば液晶表示画面２１、駆動部などにより構成され、タイマ５で計測した接近時間を液晶画面２１に表示する。
なお、液晶表示画面２１には、一方の第１機器１０との接近時間が表示されており、他方の第１機器１０との接近時間を表示させるには、選択ボタン２２を一回押せば切り替わる。
第２機器の音声部２８は、例えばメロディやメッセージが記録された音声メモリ、再生部などにより構成され、表示部２７に送られる第１機器１０又は第２機器２０何れか一方の接近時間データが、例えば１００時間、１０００時間などの区切りの良い時間に到達したとき、音声メモリに記録されたメロディやメッセージを再生し、第２機器２０を携行している人に告知する。
第２機器２０を携行している人は、液晶表示画面２１の表示を切り替えるなどにより、二台の第１機器１０のうちの何れとの接近時間が区切りの良い時間に到達したかを確認することができる。
本実施形態の電子玩具２は、第１機器１０には、表示手段も、報知手段も備えていないが、表示手段、あるいは報知手段のうちの何れか一方を備えることにしてもよい。さらに、第１機器の識別番号は、予め機器に固定しておくことにより、選択ボタン１２と設定ボタン１３との操作による設定作業を省くこともできる。
【図面の簡単な説明】
【００１２】
【図１】第１の実施形態の電子玩具を構成する第１機器及び第２機器の外観を一例として示す図である。
【図２】第１の実施形態の電子玩具を構成する第１機器及び第２機器それぞれの機能ブロックを示す図である。
【図３】第２の実施形態の電子玩具を構成する第１機器及び第２機器それぞれの機能ブロックを示す図である。
【符号の説明】
【００１３】
１、２  電子玩具  
３      アンテナ
５      タイマ
１０    第１機器
１１、２１  液晶表示画面
１２，２２  選択ボタン
１３、２３  設定ボタン
１４、２４  筺体
１５、２５  ストラップ
１６、２６  通信部
１７、２７  表示部
１８、２８  音声部
１９、２９  制御部
２０    第２機器
【図１】
0003146524.tif 000003
【図２】
0003146524.tif 000004
【図３】
0003146524.tif 000005